(57)【要約】      （修正有）【課題】複数のランプを同一色で点灯させたり、異なる色で点灯させたりすることを１組の制御線で制御できるランプ点灯装置を提供する。【解決手段】ランプの同一色ＬＥＤのアース側同士を夫々接続すると共に、この接続部分よりアース側に前記各ランプの各ＬＥＤ１０５，１０６をＯＮ／ＯＦＦする各スイッチ１０２，１０３，１０４を取付け、これらのスイッチのＯＮ／ＯＦＦを制御装置１０１が制御するランプ点灯装置において、前記アース側同士を接続する配線の途中に、一方のランプのアース線３本と他方のランプのアース線３本との接続の組合せを切換える切換スイッチ１１３を設けたので、切換スイッチによりアース線の接続の組合せを切換えて導通するＬＥＤの組合せを変更することができ、一組の制御線を制御するだけで複数のランプの点灯を同一色で点灯させたり異なる色で点灯させたりすることができる。【選択図】図１
2008145906.tif 000002
【特許請求の範囲】
【請求項１】
赤、青、緑色ＬＥＤを内蔵したランプ複数と、これらランプのＯＮ／ＯＦＦや点灯色を制御するための制御装置とを備え、前記ランプの同一色ＬＥＤのアース側同士を夫々接続し、この接続部分から同一色ＬＥＤ毎に夫々１本のアース線でアース接続すると共に、これら夫々のアース線につながれた複数のＬＥＤをＯＮ／ＯＦＦ制御するスイッチを取付け、これらのスイッチのＯＮ／ＯＦＦを前記制御装置が制御してランプの点灯を制御するランプ点灯装置において、前記アース側同士を接続する配線の途中に、一方のランプのアース線３本と他方のランプのアース線３本との接続の組合せを切換える切換スイッチを設けたことを特徴とするランプ点灯装置。
【請求項２】
前記切換スイッチは、回路を切換えるための複数の回路切換スイッチを備え、これら回路切換スイッチは前記制御装置で切換えられることを特徴とする請求項１に記載のランプ点灯装置。
【請求項３】
請求項１又は２に記載のランプ点灯装置を備えたことを特徴とする電子機器。
【請求項４】
電子機器の主要な機能を動作させるメイン回路と、補助的な機能を動作させるサブ回路と、このサブ回路のための電源とを備え、前記回路切換スイッチは、前記電源から前記サブ回路への電源ラインから分岐させた制御線からの切換信号で切換えられるよう構成したことを特徴とする請求項３に記載の電子機器。
【請求項５】
前記制御線の切換信号をパルス信号としたことを特徴とする請求項４に記載の電子機器。
【請求項６】
前記サブ回路は、赤外線通信回路や、カメラ駆動回路や、スピーカ駆動回路や、主表示部と異なる補助表示部の駆動回路、音楽再生回路、動画再生回路の何れかであることを特徴とする請求項４又は５に記載の電子機器。
【請求項７】
赤、青、緑色ＬＥＤを内蔵したランプ複数と、これらランプのＯＮ／ＯＦＦや点灯色を制御するための制御装置とを備え、前記ランプの同一色ＬＥＤのアース側同士を夫々接続し、この接続部分から同一色ＬＥＤ毎に夫々１本のアース線でアース接続すると共に、これら夫々のアース線につながれた複数のＬＥＤをＯＮ／ＯＦＦ制御するスイッチを取付け、これらのスイッチのＯＮ／ＯＦＦを制御装置で制御してランプの点灯を制御するランプ点灯装置方法において、最初に、前記アース側同士を接続する配線の途中に、一方のランプのアース線３本と他方のランプのアース線３本との接続の組合せを切換える切換スイッチを設け、次に、この切換スイッチを切換えることによって、一方のランプのアース線３本と他方のランプのアース線３本との接続の組合せを切換え、最後に、前記複数のＬＥＤをＯＮ／ＯＦＦ制御するスイッチを制御して、複数のＬＥＤの点灯色及びＯＮ／ＯＦＦを制御することを特徴とするランプ点灯方法。
【発明の詳細な説明】
【技術分野】
【０００１】
この発明は、ランプ点灯装置、及びこの装置を備えた電子機器、並びにランプ点灯方法に関するものであり、特に一組のＯＮ／ＯＦＦスイッチを制御することで、複数系統のランプの点灯や点灯色の制御を行えるものに関する。
【背景技術】
【０００２】
ランプ点灯装置の従来技術としては、特開２００４−１２６４５９号公報に記載されたものがある。この公報に記載されたものと同種の回路を図１１に示し、この図に沿って説明する。
【０００３】
１０１は制御装置で、スイッチであるＳＷＡ１０２とＳＷＢ１０３とＳＷＣ１０４とをＯＮまたはＯＦＦに制御するものである。制御装置１０１はＳＷＡ１０２をＯＮすることによりＧＮＤへＶＣＣＬＥＤからの電流が流れるよう制御し、抵抗１０７を介してランプであるＬＥＤモジュール１０５のＲ発光素子（赤色ＬＥＤ）を点灯させ、また、抵抗１１０を介してＬＥＤモジュール１０６のＲ発光素子も点灯させるよう制御している。つまり、スイッチがＯＮのとき導通し、ＯＦＦのとき非導通となる。
【０００４】
ＳＷＢ１０３はＯＮすることによりＧＮＤへＶＣＣＬＥＤからの電流が流れ、抵抗１０８を介してＬＥＤモジュール１０５のＧ発光素子（緑色ＬＥＤ）を点灯させ、抵抗１１１を介してＬＥＤモジュール１０６のＧ発光素子も点灯させるよう制御している。
【０００５】
ＳＷＣ１０４はＯＮすることによりＧＮＤへＶＣＣＬＥＤからの電流が流れ、抵抗１０９を介してＬＥＤモジュール１０５のＢ発光素子（青色ＬＥＤ）を点灯させ、抵抗１１２を介してＬＥＤモジュール１０６のＢ発光素子も点灯させるよう制御している。
【０００６】
このように構成されたランプ点灯装置では、ＬＥＤモジュール１０５とＬＥＤモジュール１０６とのＲ発光素子がＳＷＡ１０２で、Ｇ発光素子がＳＷＢ１０３で、Ｂ発光素子がＳＷＣ１０４で夫々ＯＮ／ＯＦＦ制御されるので、ＬＥＤモジュール１０５とＬＥＤモジュール１０６との点灯色が同一であった。
【０００７】
【特許文献１】特開２００４−１２６４５９号公報
【発明の開示】
【発明が解決しようとする課題】
【０００８】
前述したランプ点灯装置においては、制御装置１０１の制御出力信号で各スイッチ（ＳＷＡ１０２、ＳＷＢ１０３、ＳＷＣ１０４）を制御して、ＬＥＤモジュール１０５とＬＥＤモジュール１０６の各ＲＧＢ素子の２系統のランプを点灯させる場合に、２系統のランプ点灯色を同一の色で点灯させることはできるが、異なる色で点灯させることができなかった。
【０００９】
ＬＥＤモジュール１０６の各ＲＧＢ素子の回路接続をＬＥＤモジュール１０５側の各ＲＧＢ素子と異なるように配線接続した構成の場合には、異なる色で点灯させることができるが、今度は同一の色で点灯させることができず、それぞれの配線接続において、同一色であるか異なる色であるかの、一方しか実施できない固定された方法であった。
【００１０】
２つのランプを異なる色で点灯するようにするためには、２つの制御線（３本一組で２つのランプの場合、合計６本）でＯＮ／ＯＦＦ制御すれば可能であるが、構成や制御が複雑になる恐れがある。
【００１１】
本発明は、前記課題を解決するためのものであって、複数のランプにおいて同一色の点灯や異なる色の点灯を１組の制御線で制御できるランプ点灯装置、及びこの装置を備えた電子機器、並びにランプ点灯方法を提供するものである。
【課題を解決するための手段】
【００１２】
請求項１に記載の本発明では、赤、青、緑色ＬＥＤを内蔵したランプ複数と、これらランプのＯＮ／ＯＦＦや点灯色を制御するための制御装置とを備え、前記ランプの同一色ＬＥＤのアース側同士を夫々接続し、この接続部分から同一色ＬＥＤ毎に夫々１本のアース線でアース接続すると共に、これら夫々のアース線につながれた複数のＬＥＤをＯＮ／ＯＦＦ制御するスイッチを取付け、これらのスイッチのＯＮ／ＯＦＦを前記制御装置が制御してランプの点灯を制御するランプ点灯装置において、前記アース側同士を接続する配線の途中に、一方のランプのアース線３本と他方のランプのアース線３本との接続の組合せを切換える切換スイッチを設けたものである。
【００１３】
また、請求項２に記載の本発明では前記切換スイッチに、回路を切換えるための複数の回路切換スイッチを備え、これら回路切換スイッチを前記制御装置で切換えられるよう構成したものである。
【００１４】
また、請求項３に記載の本発明では、請求項１又は２に記載のランプ点灯装置を電子機器に備えたものである。
【００１５】
また、請求項４に記載の本発明では、請求項３に記載の電子機器に、電子機器の主要な機能を動作させるメイン回路と、補助的な機能を動作させるサブ回路と、このサブ回路のための電源とを備え、前記回路切換スイッチを、前記電源から前記サブ回路への電源ラインから分岐させた制御線からの切換信号で切換えられるよう構成したものである。
【００１６】
また、請求項５に記載の本発明では、請求項４に記載の前記制御線の切換信号をパルス信号としたものである。
【００１７】
また、請求項６に記載の本発明では、請求項５に記載のサブ回路を、赤外線通信回路や、カメラ駆動回路や、スピーカ駆動回路や、主表示部と異なる補助表示部の駆動回路、音楽再生回路、動画再生回路の何れかとしたものである。
【００１８】
更に、請求項７に記載の本発明では、赤、青、緑色ＬＥＤを内蔵したランプ複数と、これらランプのＯＮ／ＯＦＦや点灯色を制御するための制御装置とを備え、前記ランプの同一色ＬＥＤのアース側同士を夫々接続し、この接続部分から同一色ＬＥＤ毎に夫々１本のアース線でアース接続すると共に、これら夫々のアース線につながれた複数のＬＥＤをＯＮ／ＯＦＦ制御するスイッチを取付け、これらのスイッチのＯＮ／ＯＦＦを制御装置で制御してランプの点灯を制御するランプ点灯装置方法において、最初に、前記アース側同士を接続する配線の途中に、一方のランプのアース線３本と他方のランプのアース線３本との接続の組合せを切換える切換スイッチを設け、次に、この切換スイッチを切換えることによって、一方のランプのアース線３本と他方のランプのアース線３本との接続の組合せを切換え、最後に、前記複数のＬＥＤをＯＮ／ＯＦＦ制御するスイッチを制御して、複数のＬＥＤの点灯色及びＯＮ／ＯＦＦを制御するようにしたものである。
【発明の効果】
【００１９】
以上のように本発明によれば、次に記載するような効果を奏する。
【００２０】
本発明のランプ点灯装置やランプ点灯方法によれば、切換スイッチによりアース線同士の接続の組合せを切換えることにより、ＯＮさせるＬＥＤの組合せを変更することができるので、一組の制御線で制御するだけで複数のランプの点灯を同一色で点灯させたり異なる色で点灯させたりすることができる。
【００２１】
また、このようなランプ点灯装置を備えた電子機器によれば、複数のランプを同一色や異なる点灯色で点灯させて表示することができるので、視覚的に判りやすい表示を簡単な構成で実現することができる。
【発明を実施するための最良の形態】
【００２２】
本発明の実施例を図面に基づき説明する。最初に第１実施例について図１〜図５に沿って説明する。
【００２３】
図１において、２系統のランプ、すなわち複数のランプであるＬＥＤモジュール１０５とＬＥＤモジュール１０６とを備えており、これらは夫々ＲＧＢ発光素子を備えている。尚、ＲＧＢ発光素子は、赤色ＬＥＤ（Light Emitting Diode）、緑色ＬＥＤ、青色ＬＥＤから構成されている。
【００２４】
制御装置１０１はＳＷＡ１０２とＳＷＢ１０３とＳＷＣ１０４とをＯＮ（導通）またはＯＦＦ（非導通）制御するよう構成されている。
【００２５】
ＳＷＡ１０２はＯＮすることによりＧＮＤへＶＣＣＬＥＤからの電流が流れ、抵抗１０７を介してＬＥＤモジュール１０５のＲ発光素子を点灯させ、切換スイッチであるＳＷＤ１１３を介してＬＥＤモジュール１０６の一つのＬＥＤ素子も点灯させるよう構成されている。
【００２６】
ＳＷＢ１０３はＯＮすることによりＧＮＤへＶＣＣＬＥＤからの電流が流れ、抵抗１０８を介してＬＥＤモジュール１０５のＧ発光素子を点灯させ、ＳＷＤ１１３を介してＬＥＤモジュール１０６の一つのＬＥＤ素子も点灯させるよう構成されている。
【００２７】
ＳＷＣ１０４はＯＮすることによりＧＮＤへＶＣＣＬＥＤからの電流が流れ、抵抗１０９を介してＬＥＤモジュール１０５のＢ発光素子を点灯させ、ＳＷＤ１１３を介してＬＥＤモジュール１０６の一つのＬＥＤ素子を点灯させるよう構成されている。
【００２８】
ＬＥＤモジュール１０６のＲ発光素子は抵抗１１０を介してＳＷＤ１１３経由でＧＮＤへＶＣＣＬＥＤからの電流が流れるよう接続された場合に点灯するよう構成されている。また、ＬＥＤモジュール１０６のＧ発光素子は抵抗１１１を介してＳＷＤ１１３経由でＧＮＤへＶＣＣＬＥＤからの電流が流れるよう接続された場合に点灯するよう構成されている。そして、ＬＥＤモジュール１０６のＢ発光素子は抵抗１１２を介してＳＷＤ１１３経由でＧＮＤへＶＣＣＬＥＤからの電流が流れるよう接続された場合に点灯するよう構成されている。
【００２９】
また、１２０、１２１、１２２は接続部分で、この接続部分を介してＬＥＤモジュール１０５、１０６のアース線同士が接続され、更にこの接続部分１２０、１２１、１２２から夫々1本のアース線でアース接続されている。そして、そのアース接続の途中に前述の各スイッチ（ＳＷＡ１０２、ＳＷＢ１０３、ＳＷＣ１０４）が取付けられている。
【００３０】
ここで、ＳＷＤ１１３の切換えを、ユーザによる手動による切換えや制御装置１０１による自動切換えが考えられるが、この第１実施例の場合、制御装置１０１による自動切換えとしており、図２にその場合の回路図を示す。尚、この図２に示すものは、図1にも記載して1つの図とすべきであったが、説明し易くするためにこの図２に別の図として示している。このため、この第1実施例のものは図1と図２に示す構成全てを備えている。
【００３１】
図２は、主にＳＷＤ１１３に関する構成を詳細に示しており、ＳＷＤＡ１１４は２回路切換スイッチ３個から構成されており、制御線１１８からの切換信号に従い上側に示す配線の１側と、下側に示す配線の２側のどちらかに接続する。ＳＷＤＢ１１５は２回路切換スイッチ３個から構成されており、制御線１１９からの切換信号に従い上側に示す配線の１側と、下側に示す配線の２側のどちらかに接続する。
【００３２】
図２に示されているように、制御線１１８は、ＲＥＧＡ（電源）１１６の図示しない回路への電源ラインから分岐させており、また、制御線１１９はＲＥＧＢ（電源）１１７の図示しない回路への電源ラインから分岐させている。このため、図示しない回路の動作と、ＳＷＤＡ１１４、ＳＷＤＢ１１５の切換えが同期している。
【００３３】
前述のＲＥＧＡ１１６はＶＣＣ入力をもとに図示しない回路へＶＣＣ１を出力する既設の電源レギュレータであり、また、ＲＥＧＢ１１７もＶＣＣ入力をもとに図示しない回路へＶＣＣ２を出力する既設の電源レギュレータであり、これらＲＥＧＡ１１６、ＲＥＧＢ１１７は制御装置１０１により出力ＯＮ／ＯＦＦ制御される。
【００３４】
このため、既設の電源であるＲＥＧＡ１１６、ＲＥＧＢ１１７の出力をＳＷＤ１１３の切換信号として使用することができ、制御装置１０１からの新規な制御信号の追加をせずに、ＳＷＤ１１３を切換えることができるよう構成している。
【００３５】
次に、図１と図２に示す構成を備えた第1実施例の動作について説明する。ＳＷＤＡ１１４が１側でＳＷＤＢ１１５が１側の状態では、ＬＥＤモジュール１０６のＲ発光素子はＬＥＤモジュール１０５のＲ発光素子と共にＳＷＡ１０２のＯＮで点灯する。また、ＬＥＤモジュール１０６のＧ発光素子はＬＥＤモジュール１０５のＧ発光素子と共にＳＷＢ１０３のＯＮで点灯する。そして、ＬＥＤモジュール１０６のＢ発光素子はＬＥＤモジュール１０５のＢ発光素子と共にＳＷＣ１０４のＯＮで点灯する。このように、この状態ではＬＥＤモジュール１０６とＬＥＤモジュール１０５を同一のＲＧＢ発光素子の組合せで点灯させることができるように回路が切換えられている。
【００３６】
ＳＷＤＡ１１４が２側でＳＷＤＢ１１５が１側の状態では、ＬＥＤモジュール１０６のＧ発光素子はＬＥＤモジュール１０５のＲ発光素子と共にＳＷＡ１０２のＯＮで点灯する。また、ＬＥＤモジュール１０６のＢ発光素子はＬＥＤモジュール１０５のＧ発光素子と共にＳＷＢ１０３のＯＮで点灯する。そして、ＬＥＤモジュール１０６のＲ発光素子はＬＥＤモジュール１０５のＢ発光素子と共にＳＷＣ１０４のＯＮで点灯する。このように、この状態ではＬＥＤモジュール１０６とＬＥＤモジュール１０５を異なるＲＧＢ発光素子の組合せで点灯させることができるように回路が切換えられている。  
【００３７】
ＳＷＤＡ１１４が２側でＳＷＤＢ１１５が２側の状態では、ＬＥＤモジュール１０６のＢ発光素子はＬＥＤモジュール１０５のＲ発光素子と共にＳＷＡ１０２のＯＮで点灯する。また、ＬＥＤモジュール１０６のＲ発光素子はＬＥＤモジュール１０５のＧ発光素子と共にＳＷＢ１０３のＯＮで点灯する。そして、ＬＥＤモジュール１０６のＧ発光素子はＬＥＤモジュール１０５のＢ発光素子と共にＳＷＣ１０４のＯＮで点灯する。このように、この状態ではＬＥＤモジュール１０６とＬＥＤモジュール１０５を異なるＲＧＢ発光素子の組合せで点灯させることができるように回路が切換えられている。
【００３８】
更に、この回路の状態（ＳＷＤＢ１１５が２側の状態）において、ＳＷＤＡ１１４が１側に切換えられた場合も、ＬＥＤモジュール１０６とＬＥＤモジュール１０５の各ＲＧＢ発光素子の接続の組合せは異なる点灯色の組合せとなるが、その説明を省略する。
【００３９】
本発明の実施例では、ＳＷＤＡ１１４とＳＷＤＢ１１５の２つのスイッチを設けているが、片方のスイッチ１個だけで組合せを切換えられるよう構成する等、スイッチの数に制限は無い。
【００４０】
本発明の実施例では、ＳＷＤ１１３は２回路切換スイッチで構成しているが、３回路スイッチで構成する等、スイッチの種類に制限は無い。また、本発明の実施例では、ＲＧＢの３発光素子を切換えるよう構成例を示しているが、Ｇ発光素子とＢ発光素子等の２発光素子のみの組合せを切換えるよう構成する等、組合せに制限は無い。更に、本発明の実施例では、ＳＷＤの切換えをＲＥＧＡ１１６及びＲＥＧＢ１１７の出力を利用しているが、他の切換信号で制御する等、ＳＷＤの切換信号には制限は無い。
【００４１】
図３〜図５はＬＥＤモジュール１０５、ＬＥＤモジュール１０６のランプ点灯色等の説明図であり、図３はＬＥＤモジュール１０５とＬＥＤモジュール１０６との点灯色を、図４と図５とはＬＥＤモジュール１０６の点灯色の説明を図示している。
【００４２】
図３の上段の表３０１はＬＥＤモジュール１０５の点灯色の一覧である。ＬＥＤモジュール１０５においてはＳＷＡ１０２とＲ発光素子、ＳＷＢ１０３とＧ発光素子、ＳＷＣ１０４とＢ発光素子がそれぞれ結線されており、ＲＧＢの各発光素子のＯＮ／ＯＦＦ状態の組合せに従い、単色またはＲＧＢ混合色でＬＥＤモジュール１０５は点灯する。
【００４３】
図３の下段の表３０２はＳＷＤＡ１１４が１側で、ＳＷＤＢ１１５が１側の状態におけるＬＥＤモジュール１０６の点灯色の一覧である。ＬＥＤモジュール１０６においてはＳＷＡ１０２とＲ発光素子、ＳＷＢ１０３とＧ発光素子、ＳＷＣ１０４とＢ発光素子がそれぞれ結線されており、ＲＧＢの各発光素子のＯＮ／ＯＦＦ状態の組合せに従い、ＬＥＤモジュール１０６はＬＥＤモジュール１０５と同一の色で点灯する。
【００４４】
図４の表４０１はＳＷＤＡ１１４が２側でＳＷＤＢ１１５が１側の状態におけるＬＥＤモジュール１０６の点灯色の一覧である。ＬＥＤモジュール１０６においてはＳＷＡ１０２とＧ発光素子、ＳＷＢ１０３とＢ発光素子、ＳＷＣ１０４とＲ発光素子がそれぞれ結線されており、ＲＧＢの各発光素子のＯＮ／ＯＦＦ状態の組合せに従い、ＬＥＤモジュール１０６はＬＥＤモジュール１０５とは異なる色で点灯する。
【００４５】
図５の表５０１はＳＷＤＡ１１４が２側でＳＷＤＢ１１５が２側の状態におけるＬＥＤモジュール１０６の点灯色の一覧である。ＬＥＤモジュール１０６においてはＳＷＡ１０２とＢ発光素子、ＳＷＢ１０３とＲ発光素子、ＳＷＣ１０４とＧ発光素子がそれぞれ結線されており、ＲＧＢの各発光素子のＯＮ／ＯＦＦ状態の組合せに従い、ＬＥＤモジュール１０６はＬＥＤモジュール１０５とは異なる色で点灯する。
【００４６】
このように構成され、動作するランプ装置であれば、制御装置１０１が予め切換スイッチとして機能するＳＷＤ１１３を切換えることにより導通するＬＥＤの組合せを変更することができ、そして、３つで一組のＳＷＡ１０２、ＳＷＢ１０３、ＳＷＣ１０４を制御することにより、複数のランプの点灯を同一色で点灯させたり、異なる色で点灯させたりすることができる。
【００４７】
すなわち、本発明のランプ点灯装置やランプ点灯方法によれば、一組の制御線で制御するだけで複数のランプの点灯を同一色で点灯させたり、異なる色で点灯させたりすることができ、回路構成や制御を簡単にすることができる。
【００４８】
これらの表では、ＲＧＢ素子が全て点灯されて点灯色が白色となる場合については、記載していない。これは、白色を、この実施例では使用しないため、省略したものである。
【００４９】
また、ＳＷＤＡ１１４を１側、ＳＷＤＢ１１５を２側に切換えたときも考えられるが、その点灯色や各結線のＯＮ／ＯＦＦ状態を説明する表の図示も省略する。
【００５０】
次に、第２実施例について、図６〜図８に沿って説明する。
【００５１】
第１実施例と同一の構成については同一の符号を付し、その説明は省略する。図６に示すものは、図１に示ものに比較して、ＬＥＤモジュール６０１を１つ多く備えたものである。このため、アース線の組合せを切換える切換スイッチであるＳＷＥ６０５を備えている。また、図７に示すものは、図２に示すものに比較して、切換スイッチであるＳＷＥ６０５を備えている。
【００５２】
第１実施例にない構成について、簡単に説明する。図６に示す６０１はＬＥＤモジュールで、ＬＥＤモジュール１０５、１０６と同様にＲＧＢ発光素子を備えている。６０２、６０３、６０４は抵抗で、ＲＧＢ発光素子のアース側に取付けられている。６０５は切換スイッチであるＳＷＥで、上記に説明したように、アース線の組合せを切換える切換スイッチの機能を持つ。６０６は回路切換スイッチであるＳＷＥＡ、６０７も同様に回路切換スイッチであるＳＷＥＢで、これらは何れもスイッチであり、アース線の接続の組合せを切換えるものである。
【００５３】
また、図７に示す７０１は制御線で、ＶＣＣ１への電源ラインから分岐させている。制御線７０１からの切換信号に従って、ＳＷＥＡ６０６は、上側に示す配線の１側と、下側に示す配線の２側のどちらかに接続するように切換えられるものである。７０２も制御線で、ＶＣＣ２への電源ラインから分岐させている。制御線７０２からの切換信号に従って、ＳＷＥＡ６０７は、上側に示す配線の１側と、下側に示す配線の２側のどちらかに接続するように切換えられるものである。
【００５４】
尚、ＶＣＣ１やＶＣＣ２は、ＬＥＤモジュール１０５、１０６、６０１とは異なる図示しない回路に電源を供給するものである。
【００５５】
このように構成されたランプ点灯装置では、ＳＷＤ１１３とＳＷＥ６０５との切換えにより、ＬＥＤモジュール１０５、１０６、６０１の点灯色の組合せが決まる。
【００５６】
図８は、ランプ点灯装置における各スイッチのＯＮ／ＯＦＦ状態と点灯色の状態を示す説明図である。この図８は、ＳＷＤＡ１１４を２側に、ＳＷＤＢ１１５を１側に、ＳＷＥＡ６０６を２側に、ＳＷＥＢ６０７を１側に切換えた状態の、ＬＥＤモジュール１０５、１０６、６０１の点灯色を示す。尚、この図８に示す表３０１は図３の表３０１と同一であり、表４０１は図４の表４０１と同一である。
【００５７】
この図８を見ると判るように、ＳＷＡ１０２がＯＮ、ＳＷＢ１０３がＯＦＦ、ＳＷＣ１０４がＯＦＦのとき（ＯＮ／ＯＦＦが記載されている部分の一番左側の列のとき）は、ＬＥＤモジュール１０５は赤色の点灯色になり、ＬＥＤモジュール１０６は緑色、ＬＥＤモジュール６０１は青色の点灯色になる。
【００５８】
この回路では、ＳＷＤＡ１１４とＳＷＥＡ６０６とが同じ制御線で切換制御され、また、ＳＷＤＢ１１５とＳＷＥＡ６０７とが同じ制御線で切換制御されるものである。このため、ＳＷＤＡ１１４とＳＷＥＡ６０６とが、また、ＳＷＤＢ１１５とＳＷＥＡ６０７とが、同じ１側や同じ２側に切換制御される。このため、これらスイッチを1側と２側とのように異なるよう切換制御する場合、更に、切換スイッチ７０３を設けることにより、制御線７０１、７０２の接続の組合せを変えるようにしても構わない。
【００５９】
尚、スイッチ（ＳＷＤＡ１１４、ＳＷＤＢ１１５、ＳＷＥＡ６０６、ＳＷＥＢ６０７）を切換えた例については、この図８の他に残り１５種類、合計１６種類考えられるが、図示や、説明は省略する。また、ＬＥＤモジュール（ランプ）を４つ以上備えた構成も考えられるが、その説明も省略する。
【００６０】
次に、第３実施例について、図９、図１０に沿って説明する。
【００６１】
図に示す９０１は携帯端末で、いわゆる携帯電話と呼ばれている電子機器である。９０２は主表示部、９０３はダイヤルボタン、９０４はマイク、９０５はスピーカ、９０６はアンテナ、９０７はランプである。このランプ９０７はアンテナ先端に取付けられている。また、１００１はヒンジ部、１００２は補助表示部、１００３はランプ、１００４はカメラのレンズである。そして、図示しないが、図１〜図５に示した第１実施例のランプ点灯装置を備えている。
【００６２】
そして、この第３実施例のものは、図２に示した電源ＶＣＣ１、２も備えており、この電源ＶＣＣ１、２は、メイン回路とは異なるサブ回路（赤外線通信回路、カメラ駆動回路）に電源を供給するものである。メイン回路は、この第３実施例が携帯端末９０１に関するもののため、音声通話用の回路や、ダイヤルする番号を確認するための主表示部９０２の駆動回路、また、データ通信用の回路である。前記サブ回路は、上記の他にスピーカ駆動回路や、補助表示部９０２の駆動回路等がある。また、音楽再生機能や動画再生機能を備えているような携帯端末では、これら音楽再生回路や動画再生回路等がそのサブ回路に相当する。
【００６３】
そして、切換スイッチＳＷＤ１１３の回路切換スイッチＳＷＤＡ１１４、ＳＷＤＢ１１５の切換えのための切換信号を、パルス信号としてあり、このパルス信号により、回路切換スイッチＳＷＤＡ１１４、ＳＷＤＢ１１５は1側から２側へ、また、２側から１側へと切換えられる。
【００６４】
このように構成された携帯端末９０１では、着信時等に、ランプ９０７、１００３が点灯したり点滅したりする。このとき、ランプ９０７とランプと１００３の点灯色の組合せを変えることができる。例えば、その点灯色の組合せに対してユーザがルールを決めておくことにより、着信相手が誰であるか、どのような関係の人物かを、携帯端末で応答する前に把握できるものである。例えば、着信時におけるランプ８０７とランプと１００３の点灯色の組合せを、赤色と青色の場合、勤務先や取引先からの着信と設定しておき、また、水色と黄色の場合、友人や知人からの着信と設定している場合は、そのランプの点灯色の組合せで、どのような関係の人が電話をかけてきたのか、予め推定でき、応答前に、メモの準備等の必要と思われる対応ができるものである。
【００６５】
このように、この携帯端末９０１によれば、複数のランプを同一色や異なる点灯色で点灯させて表示することができるので、視覚的に判りやすい表示を簡単な構成で実現することができる。
【００６６】
また、このような携帯端末９０１の場合、ランプ９０７、１００３の点灯制御用とするだけではなく、表示部９０２、１００２のバックライトの点灯制御用としても構わない。また、一方のランプとして９０７や１００３のランプを制御し、他方のランプとして表示部９０２、１００２のバックライトを制御するようにしても構わない。
【００６７】
この携帯端末９０１の切換スイッチの切換えは、サブ回路への電源ラインから分岐させた制御線で行っているので、サブ回路と同期させることによって、新たな切換スイッチの切換制御のための専用の制御線を必要としない。このため、回路を簡略化できると共に、出力ポートを多く確保できないような制御装置に対しても本発明を適用できる。
【００６８】
また、これらの切換スイッチＳＷＤ１１３の回路切換スイッチＳＷＤＡ１１４、ＳＷＤＢ１１５がパルス信号により切換えられるように設定したので、サブ回路（赤外線通信回路、カメラ駆動回路）もパルスに合わせて一瞬ＯＮの状態となるものの、メイン回路ではなく、また短時間なので、問題とならないと考えられる。
【００６９】
切換信号をパルス信号ではなく、サブ回路へのＯＮ／ＯＦＦ信号を使用することも考えられる。この場合、例えば、制御線１１８、１１９からのＯＮ信号のときに１側に、ＯＦＦ信号のときに２側になるように、スイッチであるＳＷＤＡ１１４、ＳＷＤＢ１１５が切換えられるように設定する。このように設定した場合、サブ回路への電源ラインと制御線１１８、１１９とが分岐されているため、サブ回路のＯＮ／ＯＦＦと、ＳＷＤＡ１１４、ＳＷＤＢ１１５の１側／２側とが同期する。サブ回路にＯＮ信号が送信されること、つまり電源供給されると、このサブ回路の機能が利用可能な状態になるだけであって、特別にユーザがその機能を利用しようとして操作しない限りその機能を動作させることはできず、ＳＷＤＡ１１４、ＳＷＤＢ１１５の切換えに同期させるようＯＮ／ＯＦＦ信号を利用しても問題なく使用できると考えられる。
【００７０】
尚、この実施例では、携帯電話にランプ点灯装置を備えた例で説明したが、その他の電子機器にランプ点灯装置を備えても構わない。例えば、その他の電子機器としては、個人用の携帯情報端末（PDA、Personal Digital Assistants）等が考えられるが、これに限定されるものではない。
【００７１】
更に、本発明では、アース側同士を、切換スイッチを介して配線接続すると共に、この接続部分よりアース側の配線に取付けたスイッチをＯＮ／ＯＦＦ制御して、ランプの点灯色や点灯を制御しているが、給電側同士を、切換スイッチを介して配線接続すると共に、この接続部分より給電側の配線に取付けたスイッチをＯＮ／ＯＦＦ制御して、ランプの点灯色や点灯を制御するように構成しても構わない。
【図面の簡単な説明】
【００７２】
【図１】本発明の第１実施例のランプ点灯装置を示す回路図である。
【図２】同ランプ点灯装置の切換スイッチの詳細を示す回路図である。
【図３】同ランプ点灯装置における各スイッチのＯＮ／ＯＦＦ状態と点灯色の状態を示す説明図である。
【図４】同ランプ点灯装置における切換スイッチを切換えたときの各スイッチのＯＮ／ＯＦＦ状態と点灯色の状態を示す説明図である。
【図５】同ランプ点灯装置における切換スイッチを更に切換えたときの各スイッチのＯＮ／ＯＦＦ状態と点灯色の状態を示す説明図である。
【図６】本発明の第２実施例のランプ点灯装置を示す回路図である。
【図７】同ランプ点灯装置の切換スイッチの詳細を示す回路図である。
【図８】同ランプ点灯装置における各スイッチのＯＮ／ＯＦＦ状態と点灯色の状態を示す説明図である。
【図９】本発明のランプ点灯装置を備えた第３実施例の携帯端末の正面図である。
【図１０】同第３実施例の携帯端末の背面図である。
【図１１】従来のランプ点灯装置を示す回路図である。
【符号の説明】
【００７３】
１０１    制御装置
１０２    ＳＷＡ
１０３    ＳＷＢ
１０４    ＳＷＣ
１０５    ＬＥＤモジュール（ランプ）
１０６    ＬＥＤモジュール（ランプ）
１１３    ＳＷＤ（切換スイッチ）
１１４    ＳＷＤＡ（回路切換スイッチ）
１１５    ＳＷＤＢ（回路切換スイッチ）
１１６    ＲＥＧＡ
１１７    ＲＥＧＢ
１１８    制御線
１１９    制御線
１２０    接続部分
１２１    接続部分
１２２    接続部分
６０１    ＬＥＤモジュール（ランプ）
６０５    ＳＷＥ（切換スイッチ）
６０６    ＳＷＥＡ（回路切換スイッチ）
６０７    ＳＷＥＢ（回路切換スイッチ）
７０１    制御線
７０２    制御線
９０１    携帯端末（電子機器）
９０７    ランプ
１００２    補助表示部
１００３    ランプ
【図１】
2008145906.tif 000003
【図２】
2008145906.tif 000004
【図３】
2008145906.tif 000005
【図４】
2008145906.tif 000006
【図５】
2008145906.tif 000007
【図６】
2008145906.tif 000008
【図７】
2008145906.tif 000009
【図８】
2008145906.tif 000010
【図９】
2008145906.tif 000011
【図１０】
2008145906.tif 000012
【図１１】
2008145906.tif 000013